(57)【要約】【課題】テレビジョン放送の受信，再生機能を備えた携帯電話端末などの携帯端末装置で、端末が単体での独立した使用状態になくテレビ受信機能付きのＰＣと接続しているときには、当該ＰＣ側で受信した良好な画質・音声の番組データを取り込む。【解決手段】携帯電話端末１０で放送番組を録画する場合、該端末１０がクレードル４０にてＴＶ内蔵ＰＣ３０に接続されている場合は、端末１０における録画対象番組の受信チャンネルや開始終了時間などの録画情報をＰＣ３０側へ送信し、当該ＴＶ内蔵ＰＣ３０にて録画対象番組を良好な状態で受信させる。そしてこのＴＶ内蔵ＰＣ３０にて受信させた録画対象番組の映像・音声データを携帯電話端末１０へ転送させて取り込み録画メモリに記録して録画するので、携帯電話端末１０にて録画予約あるいは録画操作した場合でもＰＣ３０側にて安定受信させた良好な画質・音質の番組データを取り込んで録画できる。【選択図】      図２
2006013707.tif 000002
【特許請求の範囲】
【請求項１】
クレードルへの装着によってパーソナルコンピュータと接続されると共に外部電源が供給されるテレビ受信機能付きの携帯端末装置であって、
前記クレードルを介して接続されたパーソナルコンピュータがテレビ受信機能を内蔵したパーソナルコンピュータであるか否かを判断する接続ＰＣ判断手段と、
この接続ＰＣ判断手段により前記クレードルを介して接続されたパーソナルコンピュータがテレビ受信機能を内蔵したパーソナルコンピュータであると判断された場合には、当該パーソナルコンピュータにおいて受信されたテレビ番組のデータを取り込むＰＣ受信番組データ取り込み手段と、
前記クレードルへの装着がなくパーソナルコンピュータと接続されてない場合、または前記接続ＰＣ判断手段により前記クレードルを介して接続されたパーソナルコンピュータがテレビ受信機能を内蔵したパーソナルコンピュータではないと判断された場合には、本装置自身でテレビ番組を受信するテレビ受信手段と、
前記ＰＣ受信番組データ取り込み手段により取り込まれたテレビ番組のデータまたは前記テレビ受信手段により受信されたテレビ番組のデータを記録するテレビ録画手段と、
を備えたことを特徴とする携帯端末装置。
【請求項２】
前記ＰＣ受信番組データ取り込み手段は、前記接続ＰＣ判断手段により前記クレードルを介して接続されたパーソナルコンピュータがテレビ受信機能を内蔵したパーソナルコンピュータであると判断された場合には、当該パーソナルコンピュータに対して録画対象の番組情報を送信し、これに応答してパーソナルコンピュータにおいて受信されたテレビ番組のデータを取り込み、
前記テレビ受信手段は、前記クレードルへの装着がなくパーソナルコンピュータと接続されてない場合、または前記接続ＰＣ判断手段により前記クレードルを介して接続されたパーソナルコンピュータがテレビ受信機能を内蔵したパーソナルコンピュータではないと判断された場合には、録画対象の番組情報に応じて本装置自身でテレビ番組を受信する、
ことを特徴とする請求項１に記載の携帯端末装置。
【請求項３】
さらに、
外部電源の供給があるか否かを判断する電源判断手段と、
この電源判断手段により外部電源の供給が無いと判断された場合には、前記録画対象の番組情報に基づき当該番組の長さが所定の時間以内か否かを判断する番組時間判断手段とを備え、
この番組時間判断手段により前記録画対象の番組の長さが所定の時間以内であると判断された場合には、前記テレビ受信手段により前記録画対象の番組情報に応じて本装置自身でテレビ番組を受信する、
ことを特徴とする請求項２に記載の携帯端末装置。
【請求項４】
さらに、
前記番組時間判断手段により前記録画対象の番組の長さが所定の時間を超えると判断された場合には、外部電源がなく録画不可であることを報知する外部電源無し報知手段を備えことを特徴とする請求項３に記載の携帯端末装置。
【請求項５】
さらに、
前記番組時間判断手段により前記録画対象の番組の長さが所定の時間を超えると判断された場合でも、強制的に前記テレビ受信手段により前記録画対象の番組情報に応じて本装置自身でテレビ番組を受信させる強制受信指示手段を備えたことを特徴とする請求項３または請求項４に記載の携帯端末装置。
【請求項６】
さらに、
前記録画対象の番組情報が録画予約されたものである場合に、当該予約時間よりも設定時間前に外部電源の供給があるか否かを判断する事前電源判断手段と、
この事前電源判断手段により外部電源の供給が無いと判断された場合には、外部電源の接続要求を報知する外部電源要求報知手段と、
を備えたことを特徴とする請求項２乃至請求項５の何れか１項に記載の携帯端末装置。
【請求項７】
テレビ受信機能付きの携帯端末装置とクレードルを介して接続されるテレビ受信機能を内蔵したパーソナルコンピュータとを備えたテレビ受信システムであって、
前記テレビ機能付き携帯端末装置は、
前記クレードルを介して接続されたパーソナルコンピュータがテレビ受信機能を内蔵したパーソナルコンピュータであるか否かを判断する接続ＰＣ判断手段と、
この接続ＰＣ判断手段により前記クレードルを介して接続されたパーソナルコンピュータがテレビ受信機能を内蔵したパーソナルコンピュータであると判断された場合には、当該パーソナルコンピュータに対して録画対象の番組情報を送信する対象情報送信手段と、
この対象情報送信手段によるパーソナルコンピュータへの録画対象の番組情報の送信に応答して、当該パーソナルコンピュータにて受信され送信されたテレビ番組のデータを取り込むＰＣ受信番組データ取り込み手段と、
前記クレードルへの装着がなくパーソナルコンピュータと接続されてない場合、および前記接続ＰＣ判断手段により前記クレードルを介して接続されたパーソナルコンピュータがテレビ受信機能を内蔵したパーソナルコンピュータではないと判断された場合には、本装置自身でテレビ番組を受信するテレビ受信手段と、
前記ＰＣ受信番組データ取り込み手段により取り込まれたテレビ番組のデータまたは前記テレビ受信手段により受信されたテレビ番組のデータを記録するテレビ録画手段とを備え、
前記テレビ受信機能内蔵パーソナルコンピュータは、
前記テレビ機能付き携帯端末装置から送信された録画対象の番組情報を受信する対象情報受信手段と、
この対象情報受信手段により受信された録画対象の番組情報に応じたテレビ番組を受信するテレビ受信手段と、
このテレビ受信手段により受信されたテレビ番組のデータを前記テレビ機能付き携帯端末装置に対して送信する受信番組データ送信手段とを備えた、
ことを特徴とするテレビ受信システム。
【発明の詳細な説明】
【技術分野】
【０００１】
本発明は、テレビジョン放送の受信，再生機能を備えた携帯電話端末などの携帯端末装置およびテレビ受信システムに関する。
【背景技術】
【０００２】
近年、携帯電話等の携帯端末端末としては、単なる音声通話機能だけでなく、電子メールの送受信機能、デジタルカメラによる撮影記録再生機能、ラジオ放送の受信再生機能、テレビ放送の受信再生機能なども搭載されるようになっている。
【０００３】
そして、テレビ放送の受信再生機能を搭載した携帯電話端末としては、地上波デジタルテレビ放送の実用化開始に伴い、この地上波デジタルテレビ放送を受信することのできる携帯電話端末も考えられている（例えば、特許文献１参照。）。
【特許文献１】特開２００３−１５３１１１号公報
【発明の開示】
【発明が解決しようとする課題】
【０００４】
このような、テレビ放送の受信再生機能を搭載した携帯電話端末では、当該携帯電話端末自身が移動通信端末であるため、端末が移動する位置・環境に応じて受信状態が変化するといった特有の問題が生じる。
【０００５】
従って、所望の番組を単に受信再生して見ているときには、ユーザ自身が直接その移動位置に応じた受信状態の変化を知ることができるため、良好な画質・音声の受信を得たい場合にはユーザが適当に移動して受信良好な位置を見つければよいものの、予約録画などによってその受信状態を確認できないときには、受信状態の悪いまま録画が行われてしまう問題がある。
【０００６】
本発明は、前記のような問題に鑑みなされたもので、端末が単体での独立した使用状態になくテレビ受信機能付きのＰＣ(Personal Computer)と接続しているときには、当該ＰＣ側で受信した良好な画質・音声の番組データを取り込むことが可能になる携帯端末装置およびテレビ受信システムを提供することを目的とする。
【課題を解決するための手段】
【０００７】
本発明の請求項１に記載の携帯端末装置では、接続ＰＣ判断手段によってクレードルを介して接続されたパーソナルコンピュータがテレビ受信機能を内蔵したパーソナルコンピュータであるか否かを判断し、これにより前記クレードルを介して接続されたパーソナルコンピュータがテレビ受信機能を内蔵したパーソナルコンピュータであると判断された場合には、ＰＣ受信番組データ取り込み手段によって当該パーソナルコンピュータにおいて受信されたテレビ番組のデータを取り込む。一方で、前記クレードルへの装着がなくパーソナルコンピュータと接続されてない場合、または前記接続ＰＣ判断手段により前記クレードルを介して接続されたパーソナルコンピュータがテレビ受信機能を内蔵したパーソナルコンピュータではないと判断された場合には、テレビ受信手段によって本装置自身でテレビ番組を受信する。そして、前記ＰＣ受信番組データ取り込み手段により取り込まれたテレビ番組のデータまたは前記テレビ受信手段により受信されたテレビ番組のデータをテレビ録画手段によって記録する。
【０００８】
これによれば、クレードルへの装着によってテレビ受信機能を内蔵したパーソナルコンピュータと接続されている場合には、このパーソナルコンピュータにおいて安定して受信した高画質・高音質のテレビ番組のデータを取り込んで録画できることになる。
【０００９】
本発明の請求項２に記載の携帯端末装置では、前記請求項１に記載の携帯端末装置にあって、前記ＰＣ受信番組データ取り込み手段は、前記接続ＰＣ判断手段により前記クレードルを介して接続されたパーソナルコンピュータがテレビ受信機能を内蔵したパーソナルコンピュータであると判断された場合には、当該パーソナルコンピュータに対して録画対象の番組情報を送信し、これに応答してパーソナルコンピュータにおいて受信されたテレビ番組のデータを取り込み、前記テレビ受信手段は、前記クレードルへの装着がなくパーソナルコンピュータと接続されてない場合、または前記接続ＰＣ判断手段により前記クレードルを介して接続されたパーソナルコンピュータがテレビ受信機能を内蔵したパーソナルコンピュータではないと判断された場合には、録画対象の番組情報に応じて本装置自身でテレビ番組を受信する。
【００１０】
これによれば、携帯端末装置にて録画予約または録画指定された録画対象の番組情報に応じたテレビ番組をパーソナルコンピュータの側で安定して受信させて取り込むことができることになる。
【００１１】
本発明の請求項３に記載の携帯端末装置では、前記請求項２に記載の携帯端末装置にあって、さらに、電源判断手段によって外部電源の供給があるか否かを判断し、外部電源の供給が無いと判断された場合には、番組時間判断手段によって前記録画対象の番組情報に基づき当該番組の長さが所定の時間以内か否かを判断する。そして、この番組時間判断手段により前記録画対象の番組の長さが所定の時間以内であると判断された場合には、前記テレビ受信手段により前記録画対象の番組情報に応じて本装置自身でテレビ番組を受信する。
【００１２】
これによれば、充電池など内部電源の電源容量をテレビ録画によって無闇に消費させることなく、他の動作制御に関し電源容量不足などの悪影響が及ぶのを防止できることになる。
【００１３】
本発明の請求項４に記載の携帯端末装置では、前記請求項３に記載の携帯端末装置にあって、さらに、前記番組時間判断手段により前記録画対象の番組の長さが所定の時間を超えると判断された場合には、外部電源無し報知手段によって外部電源がなく録画不可であることを報知する。
【００１４】
これによれば、外部電源の接続がなくテレビ録画が不可能であることをユーザに報知できることになる。
【００１５】
本発明の請求項５に記載の携帯端末装置では、前記請求項３または請求項４に記載の携帯端末装置にあって、さらに、前記番組時間判断手段により前記録画対象の番組の長さが所定の時間を超えると判断された場合でも、強制受信指示手段によって強制的に前記テレビ受信手段により前記録画対象の番組情報に応じて本装置自身でテレビ番組を受信させる。
【００１６】
これによれば、外部電源の接続が無く充電池などの内部電源の消耗が明らかであっても重要なテレビ番組は可能な限り録画できることになる。
【００１７】
本発明の請求項６に記載の携帯端末装置では、前記請求項２乃至請求項５の何れか１項に記載の携帯端末装置にあって、さらに、前記録画対象の番組情報が録画予約されたものである場合に、事前電源判断手段によって当該予約時間よりも設定時間前に外部電源の供給があるか否かを判断し、この事前手段により外部電源の供給が無いと判断された場合には、外部電源要求報知手段によって外部電源の接続要求を報知する。
【００１８】
これによれば、電源不足によって予定の録画が出来なくなる事態を可能な限り未然に回避できることになる。
【発明の効果】
【００１９】
本発明の請求項１に記載の携帯端末装置によれば、クレードルへの装着によってテレビ受信機能を内蔵したパーソナルコンピュータと接続されている場合には、このパーソナルコンピュータにおいて安定して受信した高画質・高音質のテレビ番組のデータを取り込んで録画できるようになる。
【００２０】
本発明の請求項２に記載の携帯端末装置によれば、前記請求項１に記載の携帯端末装置にあって、携帯端末装置にて録画予約または録画指定された録画対象の番組情報に応じたテレビ番組をパーソナルコンピュータの側で安定して受信させて取り込むことができるようになる。
【００２１】
本発明の請求項３に記載の携帯端末装置によれば、前記請求項２に記載の携帯端末装置にあって、さらに、充電池など内部電源の電源容量をテレビ録画によって無闇に消費させることなく、他の動作制御に関し電源容量不足などの悪影響が及ぶのを防止できるようになる。
【００２２】
本発明の請求項４に記載の携帯端末装置によれば、前記請求項３に記載の携帯端末装置にあって、さらに、外部電源の接続がなくテレビ録画が不可能であることをユーザに報知できるようになる。
【００２３】
本発明の請求項５に記載の携帯端末装置によれば、前記請求項３または請求項４に記載の携帯端末装置にあって、さらに、外部電源の接続が無く充電池などの内部電源の消耗が明らかであっても重要なテレビ番組は可能な限り録画できるようになる。
【００２４】
本発明の請求項６に記載の携帯端末装置によれば、前記請求項２乃至請求項５の何れか１項に記載の携帯端末装置にあって、さらに、電源不足によって予定の録画が出来なくなる事態を可能な限り未然に回避できるようになる。
【００２５】
よって、本発明によれば、端末が単体での独立した使用状態になくテレビ受信機能付きのＰＣ(Personal Computer)と接続しているときには、当該ＰＣ側で受信した良好な画質・音声の番組データを取り込むことが可能になる携帯端末装置および携帯テレビ受信システムを提供できる。
【発明を実施するための最良の形態】
【００２６】
以下図面により本発明の実施の形態について説明する。
【００２７】
図１は、本発明の携帯端末装置の実施形態に係る地上波デジタルテレビ受信機能付き携帯電話端末１０の外観構成を示す正面図である。
【００２８】
このテレビ受信機能付き携帯電話端末１０は、その正面の下半分の領域にキー入力部１１、上半分の領域に液晶表示部１２を有し、キー入力部１１の下部には音声入力用のマイク１３が設けられ、液晶表示部１２の上部には音声出力用のスピーカ１４が設けられる。また、装置本体の上端部右端にはアンテナ１５が設けられ、このアンテナ１５には、携帯基地局（図示せず）との通信アンテナ１５ａ、および地上波デジタルテレビ放送の受信アンテナ１５ｂが内蔵される。
【００２９】
さらに装置本体の下端部には、後述するＰＣ(Personal Computer)３０（図２参照）に対してＵＳＢ(Universal Serial Bus)により接続を図るクレードル４０と着脱自在に接続するためのＵＳＢポート１６が設けられる。なお、このＵＳＢポート１６は、後述するＡＣアダプタ２９（図３参照）とも共用で接続可能な構造であり、定電圧電源の入力端子を有する。
【００３０】
前記キー入力部１１には、各種の数字，記号，文字を入力するための文字・記号入力キー群１１ａが備えられると共に、電源のＯＮ／ＯＦＦ、各種モードの切り替えや設定の切り替え、表示画面上でのカーソル移動による各種データや項目の選択、選択内容の確定などを行うための機能キー１１ｂが備えられる。
【００３１】
図２は、本発明の携帯テレビ受信システムの実施形態に係る地上波デジタルテレビ受信機能付き携帯電話端末１０と地上波デジタルテレビ受信機能内蔵ＰＣ３０とのクレードル４０を介した接続／取り外しの構成を示す図である。
【００３２】
前記ＴＶ受信機能付き携帯電話端末１０は、前記ＴＶ内蔵ＰＣ３０とクレードル４０を介して着脱自在に接続可能である。クレードル４０に装着した携帯電話端末１０は、そのＵＳＢポート１６を介してＴＶ内蔵ＰＣ３０と相互にデータ通信可能となり、また、ＴＶ内蔵ＰＣ３０での電源制御によって充電用の定電圧電源が供給される。
【００３３】
携帯電話端末１０をクレードル４０に装着してＴＶ内蔵ＰＣ３０に接続した状態において、携帯電話端末１０側でテレビ番組の録画処理を行う場合には、当該端末１０自身でのテレビ受信は行わず、ＴＶ内蔵ＰＣ３０側で当該テレビ番組の受信動作を行わせ、これを携帯電話端末１０に取り込むことで録画する。
【００３４】
ＴＶ内蔵ＰＣ３０側でテレビ番組の受信を行わせて携帯電話端末１０に取り込み録画することで、安定した受信状態で得た良好な画質，音声のテレビ番組を録画することができる。
【００３５】
一方、携帯電話端末１０をクレードル４０から外した状態において、携帯電話端末１０にてテレビ番組の録画処理を行う場合に、後述するＡＣアダプタ２９（図３参照）によって外部からの定電圧電源が供給されているときには、無条件で当該端末１０自身でのテレビ受信によって番組録画を行い、また、外部から電源が供給されない後述する充電池２８（図３参照）のみによって動作しているときには、録画対象の番組時間が所定の時間以内である場合、または強制的に録画操作された場合に当該端末１０自身でのテレビ受信によって番組録画を行う。
【００３６】
図３は、前記地上波デジタルテレビ受信機能付き携帯電話端末１０の電子回路の構成を示すブロック図である。
【００３７】
この携帯電話端末１０は、コンピュータ等からなる制御部（ＣＰＵ）２１を備えている。
【００３８】
制御部（ＣＰＵ）２１は、キー入力部１１から入力されるキー入力信号、通信アンテナ１５ａおよび無線通信部２３を介して受信される通信信号、リアルタイムカウンタ（ＲＴＣ）２１ａでの計時動作に基づく計時時間信号、ＵＳＢポート１６を介して入力される外部機器からの通信信号に応じて、メモリ２２に予め記憶されているシステムプログラムを起動させ回路各部の動作制御を行なうものである。
【００３９】
この制御部（ＣＰＵ）２１には、前記キー入力部１１、液晶表示部１２、ＵＳＢポート１６、メモリ２２、無線通信部２３を介した通信アンテナ１５ａが接続され、また、無線通信部２３にて送受信処理する通話音声信号を音声として入力および出力させるための音声変換回路２４およびマイク１３，スピーカ１４が接続される。
【００４０】
また、前記制御部２１には、地上波デジタルテレビの放送受信アンテナ１５ｂを接続したデジタル放送受信部２５が接続される。このデジタル放送受信部２５には前記制御部２１との間に画像・音声処理部２６が接続され、この画像・音声処理部２６において、前記受信部２５にて受信されたデジタルテレビ放送の動画像および音声の復号，圧縮，再生処理などが行われる。
【００４１】
そして、この携帯電話端末１０の回路各部には、電源制御部２７を介して充電池２８またはＡＣアダプタ２９からの定電圧電源が供給されるか、または当該携帯電話端末１０をクレードル４０に装着して前記ＴＶ内蔵ＰＣ３０と接続した状態では、このＴＶ内蔵ＰＣ３０における電源制御によってＵＳＢポート１６を介し定電圧電源が供給される。
【００４２】
なお、充電池２８は、ＡＣアダプタ２９からの定電圧電源の供給時、およびクレードル４０を介したＴＶ内蔵ＰＣ３０からの定電圧電源の供給時の何れにあっても充電される。
【００４３】
メモリ２２には、本地上波デジタルテレビ受信機能付き携帯電話端末１０の電子回路における全体の処理を司るシステムプログラムデータが予め記憶されると共に、電話通信モード、インターネット通信モード、電子メールモード、ＰＣシンクロモード、テレビ受信モード、テレビ録画モード等、各種の動作モードに対応した制御プログラムデータも予め記憶される。
【００４４】
図４は、前記地上波デジタルテレビ受信機能付き携帯電話端末１０のメモリ２２内に備えられる一部データメモリの内容を示す図である。
【００４５】
メモリ２２には、表示データメモリ２２ａ、テレビ録画メモリ２２ｂ、録画予約メモリ２２ｃ、電源接続状態メモリ２２ｄ、外部機器接続状態メモリ２２ｅ、およびワークエリア２２ｆ等の各種のデータメモリが備えられる。
【００４６】
表示データメモリ２２ａには、各種の動作モードに応じて液晶表示部１２に表示すべき文字や画像の表示データが記憶される。
【００４７】
テレビ録画メモリ２２ｂには、テレビ放送アンテナ１５ｂを介してデジタル放送受信部２５により受信され画像・音声処理部２６において復調再生された地上波デジタルテレビ放送の画像・音声データが圧縮されて記録される。
【００４８】
録画予約メモリ２２ｃには、テレビ録画モードにおいてユーザ任意に設定された放送番組の受信チャンネルと開始時間・終了時間が記憶される。
【００４９】
電源接続状態メモリ２２ｄには、現在の端末回路に対する定電圧電源の供給状態が、充電池２８のみによる供給状態か、ＡＣアダプタ２９による供給状態かに区別されて記憶される。
【００５０】
外部機器接続状態メモリ２２ｅには、ＵＳＢポート１６を介した外部機器の接続状態が接続対象の機器を認識するデータとして記憶される。
【００５１】
ワークエリア２２ｆには、各種動作モードの制御処理に伴ない制御部（ＣＰＵ）２１により入出力されるデータが一時的に記憶される。
【００５２】
図５は、前記地上波デジタルテレビ受信機能内蔵ＰＣ３０の電子回路の構成を示すブロック図である。
【００５３】
このＴＶ内蔵ＰＣ３０の電子回路は、ＰＣブロック３０Ａ、ＴＶブロック３０Ｂ、表示部３０Ｃ、スピーカ部３０Ｄ、電源制御部３０Ｅから構成される。
【００５４】
ＰＣブロック３０Ａは、制御部（ＣＰＵ）をはじめ、キー入力部、プログラムメモリ、作業用メモリなどを備え、ユーザ操作に応じて各種のプログラムに従った回路各部の動作制御を行う。
【００５５】
ＴＶブロック３０Ｂは、テレビ制御部３１、リアルタイムカウンタ（ＲＴＣ）３１ａ、ＲＯＭ（プログラム部）３２、メモリ（ワーク）３３、ＴＶアンテナ３４を接続したチューナ３５、ＯＦＤＭ(Orthogonal Frequency Division Multiplex)復調部３６、映像復号部３７、音声復号部３８を備え、ＲＯＭ３２から読み出されるテレビ制御プログラムに従ったテレビ制御部３１による本ＴＶブロック３０Ｂ内各部の制御処理により、地上波デジタルテレビ放送の受信，復調，再生，圧縮，録画などの処理を行う。
【００５６】
なお、このＴＶブロック３０Ｂの各回路は、ＵＳＢポート３９によってＰＣブロック３０Ａ、スピーカ部３０Ｄ、表示部３０Ｃと接続され、テレビ画像・音声の再生などがなされる。また、ＵＳＢポート３９は、前記地上波デジタルテレビ受信機能付き携帯電話端末１０を着脱自在に接続するためのクレードル４０とも接続される。
【００５７】
そして、このＴＶ内蔵ＰＣ３０における各回路ブロック３０Ａ，３０Ｂ，３０Ｃ，３０Ｄには、電源制御部３０Ｅによって定電圧電源が供給される。また、この電源制御部３０Ｅからの定電圧電源は、クレードル４０に装着された前記携帯電話端末１０にも供給される。
【００５８】
図６は、前記地上波デジタルテレビ受信機能内蔵ＰＣ３０のＴＶブロックメモリ３３内に備えられる一部データメモリの内容を示す図である。
【００５９】
ＴＶブロックメモリ３３には、テレビ録画メモリ３３ａ、外部機器接続状態メモリ３３ｂ、受信予約メモリ３３ｃ、およびワークエリア３３ｄなどの各種のデータメモリが備えられる。
【００６０】
テレビ録画メモリ３３ａには、ＴＶアンテナ３４を介してチューナ３５により受信されＯＦＤＭ復調部３６、映像復号部３７、音声復号部３８において復調再生された地上波デジタルテレビ放送の画像・音声データが圧縮されて記録される。
【００６１】
外部機器接続状態メモリ３３ｂには、ＵＳＢポート３９を介した外部機器の接続状態が接続対象の機器を認識するデータとして記憶される。
【００６２】
受信予約メモリ３３ｃには、当該ＰＣ３０でのテレビ録画モードにおいてユーザ任意に設定されるか、または前記クレードル４０を介した携帯電話端末１０においてユーザ設定された放送番組の受信チャンネルと開始時間・終了時間が記憶される。
【００６３】
ワークエリア３３ｄには、各種のＴＶ受信制御処理に伴ないテレビ制御部３１により入出力されるデータが一時的に記憶される。
【００６４】
次に、前記構成による携帯テレビ受信システムの動作について説明する。
【００６５】
図７は、前記地上波デジタルテレビ受信機能付き携帯電話端末１０における録画処理を示すフローチャートである。
【００６６】
テレビ録画モードにおいて、ユーザ設定によりメモリ２２内の録画予約メモリ２２ｃに記憶された録画予約データおよびリアルタイムカウンタ（ＲＴＣ）２１ａにより計時される現在時刻に基づき、当該予約録画の開始時間近く、例えば３分前になったと判断されると、図８における第１録画処理へ移行される（ステップＳ１→ＳＡ）。
【００６７】
図８は、前記地上波デジタルテレビ受信機能付き携帯電話端末１０における録画処理に伴う第１録画処理を示すフローチャートである。
【００６８】
前記予約録画の開始時間３分前になったことでこの第１録画処理が起動されると（ステップＳ１→ＳＡ）、メモリ２２内の電源接続状態メモリ２２ｄに記憶された電源供給状態データに応じて、ＡＣアダプタ２９による外部定電圧電源の供給状態か、またはクレードル４０を介したＰＣ３０からの外部定電圧電源の供給状態かの何れかの外部電源の供給状態であるか否かが判断される（ステップＡ１，Ａ２）。
【００６９】
ここで、携帯電話端末１０は何れの外部電源の供給状態にもなく、充電池２８による内部電源のみの供給状態にあると判断されると（ステップＡ２（Ｎｏ））、電源負荷の大きいテレビ受信，録画のための電源供給状態に容量不足などの問題が生じる虞があるため、外部電源への接続をユーザに促す電源注意メッセージが表示部１２に表示される（ステップＡ３）。
【００７０】
一方、携帯電話端末１０がＡＣアダプタ２９による外部定電圧電源の供給状態か、またはクレードル４０を介したＰＣ３０からの外部定電圧電源の供給状態かの何れかの外部電源の供給状態にあると判断された場合には、テレビ受信，録画のための電源供給状態に問題はないので、前記電源注意メッセージの表示報知は行われない（ステップＡ２→Return)。
【００７１】
また、テレビ録画モードにおいて、ユーザ設定によりメモリ２２内の録画予約メモリ２２ｃに記憶された録画予約データおよびリアルタイムカウンタ（ＲＴＣ）２１ａにより計時される現在時刻に基づき、当該予約録画の開始時刻になったと判断されると、図９における第２録画処理へ移行される（ステップＳ２→ＳＢ）。
【００７２】
図９は、前記地上波デジタルテレビ受信機能付き携帯電話端末１０における録画処理に伴う第２録画処理を示すフローチャートである。
【００７３】
図１０は、前記地上波デジタルテレビ受信機能内蔵ＰＣ３０における携帯連動ＴＶ受信処理を示すフローチャートである。
【００７４】
前記予約録画の開始時刻になったことで第２録画処理が起動されると（ステップＳ２→ＳＢ）、メモリ２２内の電源接続状態メモリ２２ｄに記憶された電源供給状態データに応じて、ＡＣアダプタ２９による外部定電圧電源の供給状態か、またはクレードル４０を介したＰＣ３０からの外部定電圧電源の供給状態かの何れかの外部電源の供給状態であるか否かが判断される（ステップＢ１，Ｂ２）。
【００７５】
ここで、携帯電話端末１０がＡＣアダプタ２９による外部定電圧電源の供給状態か、またはクレードル４０を介したＰＣ３０からの外部定電圧電源の供給状態かの何れかの外部電源の供給状態にあると判断された場合には（ステップＢ２（Ｙｅｓ））、さらにＵＳＢポート１６を介したクレードル４０によって地上波デジタルテレビ受信機能を内蔵したＰＣ３０との接続状態にあるか否かが判断される（ステップＢ３）。
【００７６】
この場合、本携帯電話端末１０では、ＵＳＢポート１６を介して接続されている外部ＰＣ３０に対して、当該ＰＣ３０の搭載機能（仕様）を確認するための問い合わせ信号を送信して地上波デジタルテレビ受信機能を内蔵したＰＣ３０であるか否かを判断する。
【００７７】
図１０における地上波デジタルテレビ受信機能内蔵ＰＣ３０における携帯連動ＴＶ受信処理において、当該ＰＣ３０のＵＳＢポート３９を介して外部機器の接続が検出されると（ステップＰ１）、接続された外部機器とのイニシャル処理により外部機器の種類が確認され、クレードル４０に装着された外部機器が携帯電話端末１０であると判断された場合には（ステップＰ２）、この携帯電話端末１０から本ＰＣ３０に対する問い合わせ信号の受信待機状態となる（ステップＰ３）。
【００７８】
ここで、前記携帯電話端末１０から送信された本ＰＣ３０に対する搭載機能（仕様）の問い合わせ信号が受信されると（ステップＰ３（Ｙｅｓ））、本ＰＣ３０が地上波デジタルテレビ受信機能を内蔵したＰＣ３０であることの仕様情報がクレードル４０にて接続中の携帯電話端末１０へ送信される（ステップＰ４）。
【００７９】
携帯電話端末１０において、前記ＴＶ内蔵ＰＣ３０から送信された仕様情報が受信されることで、接続中のＰＣが地上波デジタルテレビ受信機能を内蔵したＰＣ３０であると判断されると（ステップＢ３（Ｙｅｓ））、録画予約メモリ２２ｃに記憶された録画予約データである番組受信チャンネルおよび開始時間・終了時間が読み出され、ＵＳＢポート１６を介してＴＶ内蔵ＰＣ３０へ送信される（ステップＢ４）。
【００８０】
ＴＶ内蔵ＰＣ３０において、前記携帯電話端末１０から送信された録画予約データが受信されると（ステップＰ５）、当該録画予約データである番組受信チャンネルおよび開始時間・終了時間が受信予約メモリ３３ｃに記憶された後、この録画予約データに応じた地上波デジタルテレビの放送番組がチューナ３５により受信されると共に、ＯＦＤＭ復調部３６、映像復号部３７、音声復号部３８によって復調され、クレードル４０から前記携帯電話端末１０へ送信される（ステップＰ６）。
【００８１】
携帯電話端末１０において、前記ＴＶ内蔵ＰＣ３０にて受信されて送信された前記録画予約に従った放送番組の映像・音声のデータが受信されると、この番組録画データはメモリ２２内のテレビ録画メモリ２２ｂに記録されて録画される（ステップＢ５）。
【００８２】
これにより、携帯電話端末１０にて録画予約した放送番組の映像・音声データを、受信状態が良好なＴＶ内蔵ＰＣ３０により受信転送させて録画することができる。
【００８３】
一方、前記ステップＢ２において、外部電源による定電圧電源の供給状態であると判断された場合でも、ステップＢ３において、地上波デジタルテレビ受信機能を内蔵したＰＣ３０との接続はないと判断された場合には、当該端末１０自身のテレビ受信アンテナ１５ｂおよびデジタル放送受信部２５によって前記録画予約データに従ったテレビ放送番組の受信が行われ、前記テレビ録画メモリ２２ｂに記録される（ステップＢ３→Ｂ６）。
【００８４】
さらに、前記ステップＢ２において、この携帯電話端末１０は現在外部電源による電源供給状態にないと判断された場合には（ステップＢ２（Ｎｏ））、録画予約メモリ２２ｃに記憶されている録画予約データに基づき、録画対象の番組の時間の長さが求められ（ステップＢ７）、所定の時間長さ以内かまたはそれを超える長い時間かが判断される（ステップＢ８）。
【００８５】
そして、外部電源による十分な電源供給状態になく、充電池２８のみによる限られた電源供給状態にあると判断された場合でも（ステップＢ２（Ｎｏ））、録画予約された番組の時間長さが所定の時間長さ以内であると判断された場合には（ステップＢ７，Ｂ８（Ｙｅｓ））、本端末１０自身のテレビ受信アンテナ１５ｂおよびデジタル放送受信部２５によって前記録画予約されたテレビ放送番組の受信が行われ、テレビ録画メモリ２２ｂに記録される（ステップＢ８→Ｂ６）。
【００８６】
さらに、前記外部電源による十分な電源供給状態になく、充電池２８のみによる限られた電源供給状態にあると判断された場合に（ステップＢ２（Ｎｏ））、録画予約された番組の時間長さが所定の時間長さを超えると判断された場合には（ステップＢ７，Ｂ８（Ｎｏ））、外部電源の接続がないので録画不可能であることをユーザに報知する不可メッセージが液晶表示部１２に表示される（図１２（Ｂ）参照）（ステップＢ９）。
【００８７】
そして、このような録画不可能の不可メッセージが表示された場合でも、録画モードでのメニュー選択によって録画の強制実行が指示されたと判断された場合には（図１２（Ｃ）参照）、本端末１０自身のテレビ受信アンテナ１５ｂおよびデジタル放送受信部２５によって前記録画予約されたテレビ放送番組の受信が行われ、テレビ録画メモリ２２ｂに記録される（ステップＢ１０→Ｂ６）。
【００８８】
また、前記録画不可能の不可メッセージが表示された後（ステップＢ９）、例えば一定時間内に前記録画の強制実行が指示されない場合には（ステップＢ１０（Ｎｏ））、今回の録画予約データに基づく録画処理は取り消しされる（ステップＢ１１）。
【００８９】
図１１は、前記地上波デジタルテレビ受信機能付き携帯電話端末１０における録画処理に伴う第３録画処理を示すフローチャートである。
【００９０】
図１２は、前記地上波デジタルテレビ受信機能付き携帯電話端末１０における録画処理に伴い再生中のテレビ放送番組を録画する場合の操作表示状態を示す図であり、同図（Ａ）はテレビ受信映像表示画面Ｇ１を示す図、同図（Ｂ）は録画不可メッセージ表示ウインドウＷ１を示す図、同図（Ｃ）は強制録画実行選択ウインドウＷ２を示す図である。
【００９１】
テレビ受信アンテナ１５ｂおよびデジタル放送受信部２５によって所望の受信チャンネルの地上波デジタルテレビ放送番組が受信され、画像・音声処理部２６を経て、図１２（Ａ）に示すように、受信中の番組が再生されるテレビ受信映像表示画面Ｇ１が表示部１２に表示された状態で、この受信再生中にある放送番組を録画するために同表示部１２上に表示されている「録画」ボタンＲが選択操作されると、図１１における第３録画処理へ移行される（ステップＳ３→ＳＣ）。
【００９２】
前記所望の放送番組の受信表示中にあって「録画」ボタンＲが選択操作されたことで第３録画処理が起動されると（ステップＳ３→ＳＣ）、メモリ２２内の電源接続状態メモリ２２ｄに記憶された電源供給状態データに応じて、ＡＣアダプタ２９による外部定電圧電源の供給状態か、またはクレードル４０を介したＰＣ３０からの外部定電圧電源の供給状態かの何れかの外部電源の供給状態であるか否かが判断される（ステップＣ１，Ｃ２）。
【００９３】
ここで、携帯電話端末１０がＡＣアダプタ２９による外部定電圧電源の供給状態か、またはクレードル４０を介したＰＣ３０からの外部定電圧電源の供給状態かの何れかの外部電源の供給状態にあると判断された場合には（ステップＣ２（Ｙｅｓ））、さらにＵＳＢポート１６を介したクレードル４０によって地上波デジタルテレビ受信機能を内蔵したＰＣ３０との接続状態にあるか否かが判断される（ステップＣ３）。
【００９４】
ここで、ＵＳＢポート１６を介して接続されている外部ＰＣ３０に対し、当該ＰＣ３０の搭載機能（仕様）を確認するための問い合わせ信号を送信することに応答して、ＴＶ内蔵ＰＣ３０から返信された（ステップＰ１〜Ｐ４）仕様情報が受信されることで、接続中のＰＣが地上波デジタルテレビ受信機能を内蔵したＰＣ３０であると判断されると（ステップＣ３（Ｙｅｓ））、デジタル放送受信部２５における現在の番組受信チャンネルが前記ＵＳＢポート１６を介してＴＶ内蔵ＰＣ３０へ送信される（ステップＣ４）。
【００９５】
ＴＶ内蔵ＰＣ３０において、前記携帯電話端末１０から送信された現在の番組受信チャンネルが受信されると（ステップＰ５）、当該番組受信チャンネルに応じた地上波デジタルテレビの放送番組がチューナ３５により受信されると共に、ＯＦＤＭ復調部３６、映像復号部３７、音声復号部３８によって復調され、クレードル４０から前記携帯電話端末１０へ送信される（ステップＰ６）。
【００９６】
携帯電話端末１０において、前記ＴＶ内蔵ＰＣ３０にて受信されて送信された放送番組の映像・音声のデータが受信されると、この番組データはメモリ２２内のテレビ録画メモリ２２ｂに記録されて録画される（ステップＣ５）。
【００９７】
これにより、携帯電話端末１０にて録画操作した現在受信再生中の放送番組の映像・音声データを、受信状態が良好なＴＶ内蔵ＰＣ３０により受信転送させて録画することができる。
【００９８】
一方、前記ステップＣ２において、外部電源による定電圧電源の供給状態であると判断された場合でも、ステップＣ３において、地上波デジタルテレビ受信機能を内蔵したＰＣ３０との接続はないと判断された場合には、当該端末１０自身のテレビ受信アンテナ１５ｂおよびデジタル放送受信部２５によって現在受信中のテレビ放送番組の受信が継続され、テレビ録画メモリ２２ｂに記録される（ステップＣ３→Ｃ６）。
【００９９】
さらに、前記ステップＣ２において、この携帯電話端末１０は現在外部電源による電源供給状態にないと判断された場合には（ステップＣ２（Ｎｏ））、外部電源の接続がないので、電源負荷の大きい録画処理は不可能であることをユーザに報知するための録画不可メッセージ表示ウインドウＷ１が、図１２（Ｂ）に示すように、液晶表示部１２に表示される（ステップＣ７）。
【０１００】
そして、このような録画不可能の不可メッセージ表示ウインドウＷ１が表示された場合でも、図１２（Ｃ）に示すように、録画モードでの「メニュー」ボタンＭの操作に応じて表示させた強制録画実行選択ウインドウＷ２に従い、録画の強制実行が指示されたと判断された場合には、本端末１０自身のテレビ受信アンテナ１５ｂおよびデジタル放送受信部２５によって現在受信中のテレビ放送番組の受信が継続され、テレビ録画メモリ２２ｂに記録される（ステップＣ８→Ｃ６）。
【０１０１】
また、前記録画不可能の不可メッセージ表示ウインドウＷ１が表示された後（ステップＣ７）、例えば一定時間内に前記録画の強制実行が指示されない場合には（ステップＣ８（Ｎｏ））、今回の録画操作に基づく録画処理は取り消しされる（ステップＣ９）。
【０１０２】
したがって、前記構成の携帯テレビ受信システムによる地上波デジタルテレビ受信機能付き携帯電話端末１０でのテレビ録画機能、そして当該携帯電話端末１０をクレードル４０によって接続可能な地上波デジタルテレビ受信機能内蔵ＰＣ３０での携帯連動テレビ受信機能によれば、携帯電話端末１０にて放送番組を録画する場合に、当該端末１０がクレードル４０によってＴＶ内蔵ＰＣ３０に接続されている場合には、端末１０における録画対象番組の受信チャンネルや開始終了時間などの録画情報をＰＣ３０側へ送信し、当該ＴＶ内蔵ＰＣ３０にて録画対象の放送番組を良好な状態で受信させる。そして、このＴＶ内蔵ＰＣ３０にて受信させた録画対象放送番組の映像・音声データを携帯電話端末１０へ転送させて取り込み録画メモリ２２ｂに記録して録画するようにしたので、携帯電話端末１０にて録画予約あるいは録画操作した場合でも、ＴＶ内蔵ＰＣ３０との接続があれば当該ＰＣ３０側にて安定受信させた良好な画質・音質の番組データを取り込んで録画することができる。
【０１０３】
また、前記構成の携帯テレビ受信システムによる携帯電話端末１０でのテレビ録画機能によれば、クレードル４０を介した外部電源の供給やＡＣアダプタ２９による外部電源の供給がある場合には、録画対象番組の時間の長短に関係なく当該放送番組を受信してその映像・音声データを録画メモリ２２ｂに記録し、外部電源の供給がなく充電池２８のみによって電源容量が限られている場合には、録画対象番組の時間の長さが所定の時間以内であるかまたはそれを超えて長いかを判断し、所定の時間以内である場合に当該放送番組を受信してその映像・音声データを録画メモリ２２ｂに記録するようにしたので、充電池２８の電源容量をテレビ録画によって無闇に消費させることなく、肝心の通話や電子メールの送受信に際し充電不足などの悪影響が及ぶのを極力防止することができる。
【０１０４】
また、前記構成の携帯テレビ受信システムによる携帯電話端末１０でのテレビ録画機能によれば、外部電源の供給がなく、録画対象番組の時間の長さが所定の時間を超えて長いことで、当該放送番組の録画処理を行わない場合には、録画不可のメッセージ表示ウインドウＷ１を表示させるようにしたので、外部電源の接続がなくテレビ録画が不可能であることをユーザに報知することができる。
【０１０５】
また、前記構成の携帯テレビ受信システムによる携帯電話端末１０でのテレビ録画機能によれば、外部電源の供給がない場合には、録画予約した録画開始時間の数分前（例えば３分前）に外部電源への接続が必要であることをユーザに促す電源注意メッセージを表示させるようにしたので、電源不足によって予定の録画が出来なくなる事態を未然に回避することができる。
【０１０６】
さらに、前記構成の携帯テレビ受信システムによる携帯電話端末１０でのテレビ録画機能によれば、外部電源の供給がなく、録画対象番組の時間の長さが所定の時間を超えて長いことで、録画不可のメッセージ表示ウインドウＷ１を表示させた場合であっても、「メニュー」ボタンＭの操作に応じた強制録画実行選択ウインドウＷ２に従い当該放送番組を強制的に受信録画させることができるので、充電池２８の消耗が明らかであっても重要な放送番組は逃さずに録画することができる。
【０１０７】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１０８】
【図１】本発明の携帯端末装置の実施形態に係る地上波デジタルテレビ受信機能付き携帯電話端末１０の外観構成を示す正面図。
【図２】本発明のテレビ受信システムの実施形態に係る地上波デジタルテレビ受信機能付き携帯電話端末１０と地上波デジタルテレビ受信機能内蔵ＰＣ３０とのクレードル４０を介した接続／取り外しの構成を示す図。
【図３】前記地上波デジタルテレビ受信機能付き携帯電話端末１０の電子回路の構成を示すブロック図。
【図４】前記地上波デジタルテレビ受信機能付き携帯電話端末１０のメモリ２２内に備えられる一部データメモリの内容を示す図。
【図５】前記地上波デジタルテレビ受信機能内蔵ＰＣ３０の電子回路の構成を示すブロック図。
【図６】前記地上波デジタルテレビ受信機能内蔵ＰＣ３０のＴＶブロックメモリ３３内に備えられる一部データメモリの内容を示す図。
【図７】前記地上波デジタルテレビ受信機能付き携帯電話端末１０における録画処理を示すフローチャート。
【図８】前記地上波デジタルテレビ受信機能付き携帯電話端末１０における録画処理に伴う第１録画処理を示すフローチャート。
【図９】前記地上波デジタルテレビ受信機能付き携帯電話端末１０における録画処理に伴う第２録画処理を示すフローチャート。
【図１０】前記地上波デジタルテレビ受信機能内蔵ＰＣ３０における携帯連動ＴＶ受信処理を示すフローチャート。
【図１１】前記地上波デジタルテレビ受信機能付き携帯電話端末１０における録画処理に伴う第３録画処理を示すフローチャート。
【図１２】前記地上波デジタルテレビ受信機能付き携帯電話端末１０における録画処理に伴い再生中のテレビ放送番組を録画する場合の操作表示状態を示す図であり、同図（Ａ）はテレビ受信映像表示画面Ｇ１を示す図、同図（Ｂ）は録画不可メッセージ表示ウインドウＷ１を示す図、同図（Ｃ）は強制録画実行選択ウインドウＷ２を示す図。
【符号の説明】
【０１０９】
１０  …地上波デジタルテレビ受信機能付き携帯電話端末
１１  …キー入力部
１１ａ…文字・記号入力キー群
１１ｂ…機能キー
１２  …液晶表示部
１３  …マイク
１４  …スピーカ
１５  …アンテナ
１５ａ…通信アンテナ
１５ｂ…地上波デジタルテレビ受信アンテナ
１６  …端末側ＵＳＢポート
２１  …制御部（ＣＰＵ）
２１ａ…端末リアルタイムカウンタ（ＲＴＣ）
２２  …端末メモリ
２２ａ…表示データメモリ
２２ｂ…端末側テレビ録画メモリ
２２ｃ…ＴＶ録画予約メモリ
２２ｄ…電源接続状態メモリ
２２ｅ…端末側外部機器接続状態メモリ
２２ｆ…端末ワークエリア
２３  …無線通信部
２４  …音声変換回路
２５  …デジタル放送受信部
２６  …画像・音声処理部
２７  …端末電源制御部
２８  …充電池
２９  …ＡＣアダプタ
３０  …地上波デジタルテレビ受信機能内蔵ＰＣ
３０Ａ…ＰＣブロック
３０Ｂ…ＴＶブロック
３０Ｃ…ＰＣ表示部
３０Ｄ…ＰＣスピーカ部
３０Ｅ…ＰＣ電源制御部
３１  …テレビ制御部
３１ａ…ＰＣリアルタイムカウンタ（ＲＴＣ）
３２  …ＴＶブロックＲＯＭ（プログラム部）
３３  …ＴＶブロックメモリ
３３ａ…ＰＣ側テレビ録画メモリ
３３ｂ…ＰＣ側外部機器接続状態メモリ
３３ｃ…ＴＶ受信予約メモリ
３３ｄ…ＰＣワークエリア
３４  …ＴＶアンテナ
３５  …チューナ
３６  …ＯＦＤＭ復調部
３７  …映像復号部、
３８  …音声復号部
３９  …ＰＣ・ＵＳＢポート
４０  …クレードル
【図１】
2006013707.tif 000003
【図２】
2006013707.tif 000004
【図３】
2006013707.tif 000005
【図４】
2006013707.tif 000006
【図５】
2006013707.tif 000007
【図６】
2006013707.tif 000008
【図７】
2006013707.tif 000009
【図８】
2006013707.tif 000010
【図９】
2006013707.tif 000011
【図１０】
2006013707.tif 000012
【図１１】
2006013707.tif 000013
【図１２】
2006013707.tif 000014